(57)【要約】【課題】粉末状あるいは顆粒状の機能性食品や補助食品を充填するのに用いて好適な容器であって、計量スプーンを用いることなくしかも簡単に計量した量を確実に注出できるようにした容器を提供する。【解決手段】内側が収納部になっている胴部１０の上側にくびれ部１１を介して計量室１２を備え、この計量室１２がその内側の一側部に形成されている突条１３と条溝１４とから形成される。くびれ部１１に横方向に力を加えると、突条１３と条溝１４とがそれぞれ外側に弓形に変形して開放され、このような状態で胴部１０の内側の収納部から計量室１２側に内容物が移行する。従ってこの状態でくびれ部１１を閉じ、キャップ２０を取外して注出口部１９から内容物を注出することにより、計量室１２によって計量された量の粉状物あるいは顆粒状物質が注出される。【選択図】図４
0003144209.tif 000002
【実用新案登録請求の範囲】
【請求項１】
先端側に注出口部を有する合成樹脂製容器において、
収納部に対して前記注出口部側に所定の容積の計量室を設けるとともに、前記計量室と前記収納部とを開閉自在な区画手段によって区画するようにしたことを特徴とする合成樹脂製容器。
【請求項２】
前記区画手段が前記収納部と前記計量室との間に形成された扁平なくびれ部であって、該くびれ部はその一側の内側に突条が形成されるとともにその他側に条溝が形成され、前記突条を前記条溝に係合させることによって閉鎖され、前記くびれ部の長さ方向の両側から力を加えると前記突条と前記条溝とがそれぞれ弓形に変形して開放されることを特徴とする請求項１に記載の合成樹脂製容器。
【請求項３】
前記区画手段を開放して前記収納部から前記計量室に内容物を充填し、前記区画手段を閉じて前記計量室から前記注出口部を通して前記計量室内で計量された量の内容物を注出することを特徴とする請求項１に記載の合成樹脂製容器。
【請求項４】
底部に充填口が設けられ、該充填口を通して前記収納部に内容物を充填するようにしたことを特徴とする請求項１に記載の合成樹脂製容器。
【請求項５】
内容物が粉末状または顆粒状であることを特徴とする請求項１に記載の合成樹脂製容器。
【請求項６】
粉末状または粒状の補助食品あるいは機能性食品を充填することを特徴とする合成樹脂製容器。
【考案の詳細な説明】
【技術分野】
【０００１】
本考案は合成樹脂製容器に係り、とくに先端側に注出口部を有する合成樹脂製容器に関する。
【背景技術】
【０００２】
例えば粉末状をなす栄養補助食品あるいは機能性食品を充填するための容器として、従来は図７に示すようなバッグ状容器１が用いられている。バッグ状容器１は高分子フィルムによってバッグ状に形成され、上端が開口になっているとともに、この開口を開閉自在に閉じるファスナ２が開口の内側の周縁部に沿って設けられている。そしてこのバッグ状容器１内に充填された粉末状内容物３を取出す場合には、計量スプーン４を用いるようにし、この計量スプーン４によって粉末状内容物３を取出すようにしている。
【０００３】
ここで上述の計量スプーン４が計量手段を構成しており、従ってこの計量スプーン４で大略の計量を行なうことができる。ところが計量スプーン４による計量は、その操作が面倒になる欠点がある。しかもこのような計量スプーン４による操作を、バッグ状容器１のファスナ２を外して開口させた状態で行なわなければならず、ファスナ２の開閉が面倒である。またバッグ状容器１内に粉状内容物３とともにスプーン４が収納されるようになっているために、スプーン４の柄のところにも粉末が付き易い欠点がある。計量スプーン４をバッグ状容器１から取出す場合には、その都度洗って乾かさなければならず、スプーン４の取扱いがさらに面倒である。
【０００４】
なお特開２００１−２１６９号公報には、補助食品添付用容器が開示されているが、この容器はうずら卵等を収納するためのものであって、粉末状あるいは顆粒状の内容物を充填することができず、また計量手段を備えていない。
【特許文献１】特開２００１−００２１６９号公報
【考案の開示】
【考案が解決しようとする課題】
【０００５】
本願考案は、計量スプーン等の容器とは別の計量手段を用いて計量することなく、しかも内容物を所定量正しく取出すことが可能な合成樹脂製容器を提供することである。
【０００６】
本願考案の別の課題は、計量スプーンを用いないために、この計量スプーンに内容物が付着したり、あるいはまた計量スプーンを洗って乾かさなければならない面倒さを解消するようにした合成樹脂製容器を提供することである。
【０００７】
本願考案の別の課題は、粉状あるいは粒状をなす補助食品や機能性食品を所定量正しく計量して注出できるようにした合成樹脂製容器を提供することである。
【０００８】
本願考案の上記の課題および別の課題は、以下に述べる本願考案の技術的思想およびその実施の形態によって明らかにされる。
【課題を解決するための手段】
【０００９】
本願の主要な考案は、先端側に注出口部を有する合成樹脂製容器において、
収納部に対して前記注出口部側に所定の容積の計量室を設けるとともに、前記計量室と前記収納部とを開閉自在な区画手段によって区画するようにしたことを特徴とする合成樹脂製容器に関するものである。
【００１０】
ここで、前記区画手段が前記収納部と前記計量室との間に形成された扁平なくびれ部であって、該くびれ部はその一側の内側に突条が形成されるとともにその他側に条溝が形成され、前記突条を前記条溝に係合させることによって閉鎖され、前記くびれ部の長さ方向の両側から力を加えると前記突条と前記条溝とがそれぞれ弓形に変形して開放されてよい。また前記区画手段を開放して前記収納部から前記計量室に内容物を充填し、前記区画手段を閉じて前記計量室から前記注出口部を通して前記計量室内で計量された量の内容物を注出してよい。また底部に充填口が設けられ、該充填口を通して前記収納部に内容物を充填してよい。また内容物が粉末状または顆粒状であってよい。また粉末状または粒状の補助食品あるいは機能性食品を充填する合成樹脂製容器であってよい。
【考案の効果】
【００１１】
本願の主要な考案は、先端側に注出口部を有する合成樹脂製容器において、収納部に対して注出口部側に所定の容積の計量室を設けるとともに、計量室と収納部とを開閉自在な区画手段によって区画するようにしたものである。
【００１２】
このような特徴ある構成に係る合成樹脂製容器によると、開閉自在な区画手段を開放し、収納部から計量室に所定量の内容物を移した後に上記区画手段を閉じることによって、計量室に所定量の内容物が保持される。従ってこのような状態で、先端側の注出口部を通して内容物を注出することによって、計量室で計量された内容物が注出されるようになり、計量スプーン等の容器以外の別の計量手段を必要としないで所定量の内容物を正しく注出できるようになる。
【考案を実施するための最良の形態】
【００１３】
以下本願考案を図示の実施の形態によって説明する。図１〜図４は本実施の形態に係る合成樹脂製容器を示すものである。この合成樹脂製容器は、粉末状をなす機能性食品あるいは補助食品、例えばケールの粉末を充填するための容器である。この容器はとくに図１に示すように下端側が胴部１０になっており、その内側が収納部を構成している。そして胴部１０の上端側には横方向に延びるくびれ部１１を介して計量室１２が形成されている。くびれ部１１は図３に示すように横方向に伸びており（図３Ａ）、前後方向に扁平になっている（図３Ｂ）。
【００１４】
そして計量室１２は胴部１０との間が上記くびれ部１１の内側に設けられた機構によって開閉自在になっている。すなわち図４および図５に示すように、くびれ部１１の内側であってその一側には突条１３が形成されるとともに、上記突条１３と対向する反対側であって内側には条溝１４が形成される。上記突条１３と条溝１４とは図５に示すように開閉自在になっている。
【００１５】
次に上記合成樹脂製容器の注出口部１９にはとくに図４に示すようにキャップ２０が着脱自在に取付けられるようになっている。キャップ２０はその内側にリング状突部２１を備え、このリング状突部２１が注出口部１９の開口縁部に圧着され、これによってキャップ２０で注出口部１９を閉じるようにしている。またキャップ２０の内側であって下端側の部分には内側に突出するように突条２２が形成され、この突条２２が注出口部１９のリング状凹部２３に係合されるようになっている。キャップ２０を注出口部１９に装着し、突条２２をリング状凹部２３に係合させることによって、キャップ２０がこの合成樹脂製容器の注出口部１９を閉じた状態に維持される。
【００１６】
またこの合成樹脂製容器は、図２〜図４に示すように、底部２７に円形の充填口２８が形成されている。この充填口２８は底蓋２９を備えている。なお底蓋２９の段部が上記充填口２８の周縁部に係合され、これによって底部２７の充填口２８が底蓋２９によって開閉自在に閉じられるようになっている。なお使い捨て式の容器として用いられる場合には、底蓋２９を備える充填口２８を形成することを要せず、通常の単純な有底の容器とすればよい。
【００１７】
次にこのような合成樹脂製容器の使用方法について説明する。図２に示すように、この合成樹脂製容器を逆様にし、底部２７の充填口２８を閉じている底蓋２９を取外し、充填口２８を通してこの合成樹脂製容器内に粉末状あるいは顆粒状をなす内容物、例えば機能性食品あるいは補助食品を充填する。そしてこの後に充填口２８を底蓋２９によって閉じる。
【００１８】
次にこの合成樹脂製容器内の内容物を所定量注出する場合には、図４および図５Ａに示すように、閉じられているくびれ部１１を開く。すなわち図５Ｂに示すように、くびれ部１１の長さ方向の両端から指でつまみ、くびれ部１１を両側から押す。するとくびれ部１１の内側に形成されている突条１３と条溝１４とがそれぞれ弓形であって外側に向けて変形する。従ってくびれ部１１の内側の区画手段が開放される。すなわちこの合成樹脂製容器の胴部１０の内側の収納部とくびれ部１１の上側の計量室１２とが互いに連通する。従ってこの状態で、上記合成樹脂製容器を逆様にすることによって、収納室内の内容物が計量室１２に移動する。そしてこの計量室１２内が内容物で一杯になった場合には、図４および図５Ａに示すように、上記くびれ部１１を閉じるようにする。そしてこの状態でキャップ２０を取外すことによって、図６に示すように、注出口部１９が開放される。従ってこの合成樹脂製容器を、その注出口部１９が斜め下方に向くように傾け、注出口部１９を通して計量室１２内の内容物を容器等に注出する。注出口部１９を通して注出される内容物は、上記計量室１２で計量された量の粉末である。従ってキャップ２０を開くだけで、確実に所定量の内容物を移し換えることが可能になる。そして内容物の注出を終わったならば、注出口部１９をキャップ２０で図４に示すように閉塞すればよい。
【００１９】
このような構成に係る合成樹脂製容器によれば、計量スプーン等の別の計量手段を用いることなく、合成樹脂製容器から直接計量された量の粉末あるいは顆粒状の物質を注出することが可能になる。また別の計量手段を用いないために、計量スプーンを容器と一緒にしまっておいたり、あるいはまた使用後に洗って乾かす等の面倒な操作が解消されることになる。
【００２０】
以上本願考案を図示の実施の形態によって説明したが、本願考案は上記実施の形態によって限定されることなく、本願考案の技術的思想の範囲内において各種の変更が可能である。例えば上記実施の形態における計量室１２の容量については、用いる容器の目的等に応じて、各種の容量に設定することができる。また中に充填される内容物も、粉末状、顆粒状、液状、あるいはまた半流動状態の物質等の各種の内容物に広く適用可能である。
【産業上の利用可能性】
【００２１】
本願考案は、粉末状あるいは顆粒状の機能性食品あるいは補助食品の容器として広く利用可能である。
【図面の簡単な説明】
【００２２】
【図１】本考案の一実施の形態に係る合成樹脂製容器の外観斜視図である。
【図２】同容器の底部側の分解斜視図である。
【図３】同容器の正面図（Ａ）および側面図（Ｂ）である。
【図４】同容器の縦断面図である。
【図５】くびれ部を閉鎖した状態（Ａ）および開放した状態（Ｂ）の横断面図である。
【図６】注出の動作を示す外観斜視図である。
【図７】従来のバッグ状をなす粉末の容器の正面図である。
【符号の説明】
【００２３】
１  バッグ状容器
２  ファスナ
３  粉状内容物
４  計量スプーン
１０  胴部
１１  くびれ部
１２  計量室
１３  突条
１４  条溝
１９  注出口部
２０  キャップ
２１  リング状突部
２２  突条
２３  リング状凹部
２７  底部
２８  充填口
２９  底蓋
【図１】
0003144209.tif 000003
【図２】
0003144209.tif 000004
【図３】
0003144209.tif 000005
【図４】
0003144209.tif 000006
【図５】
0003144209.tif 000007
【図６】
0003144209.tif 000008
【図７】
0003144209.tif 000009
【手続補正書】
【提出日】平成20年6月20日(2008.6.20)
【手続補正１】
【補正対象書類名】実用新案登録請求の範囲
【補正対象項目名】全文
【補正方法】変更
【補正の内容】
【実用新案登録請求の範囲】
【請求項１】
先端側に注出口部を有する合成樹脂製容器において、
収納部に対して前記注出口部側に所定の容積の計量室を設けるとともに、前記計量室と前記収納部とを開閉自在な区画手段によって区画するようにしたことを特徴とする合成樹脂製容器。
【請求項２】
前記区画手段が前記収納部と前記計量室との間に形成された扁平なくびれ部であって、該くびれ部はその一側の内側に突条が形成されるとともにその他側に条溝が形成され、前記突条を前記条溝に係合させることによって閉鎖され、前記くびれ部の長さ方向の両側から力を加えると前記突条と前記条溝とがそれぞれ弓形に変形して開放されることを特徴とする請求項１に記載の合成樹脂製容器。
【請求項３】
前記区画手段を開放して前記収納部から前記計量室に内容物を充填し、前記区画手段を閉じて前記計量室から前記注出口部を通して前記計量室内で計量された量の内容物を注出することを特徴とする請求項１に記載の合成樹脂製容器。
【請求項４】
底部に充填口が設けられ、該充填口を通して前記収納部に内容物を充填するようにしたことを特徴とする請求項１に記載の合成樹脂製容器。
【請求項５】
内容物が粉末状または顆粒状であることを特徴とする請求項１に記載の合成樹脂製容器。
【請求項６】
粉末状または顆粒状の補助食品あるいは機能性食品を充填することを特徴とする請求項１に記載の合成樹脂製容器。